(57)【特許請求の範囲】
【請求項１】
バーナの燃焼開始及び燃焼停止を指令する燃焼指令手段と、前記バーナの燃焼を制御する制御手段と、燃焼状態の異常を検出する異常状態検出手段とが備えられ、
前記制御手段が、
前記燃焼指令手段による燃焼開始の指令に基づいて前記バーナの燃焼を開始しかつ前記燃焼指令手段による燃焼停止の指令に基づいて前記バーナの燃焼を停止する燃焼制御、前記異常状態検出手段の検出情報に基づいて燃焼状態が異常であることを判別するに伴って前記バーナの燃焼を停止する非常停止制御、及び、前記非常停止制御を実行した回数が燃焼禁止判定用回数以上になると前記燃焼指令手段による燃焼開始の指令にかかわらず前記バーナの燃焼を禁止する燃焼禁止制御を実行するように構成され、且つ、前記燃焼禁止制御の実行中にリセット指令手段によりリセット指令が指令されると前記燃焼禁止制御の実行を停止しかつ前記非常停止制御を実行した回数を初期化するように構成されている燃焼装置であって、
前記リセット指令手段が、
リセット用解除コードを手動入力可能で、且つ、前記リセット指令として前記リセット用解除コードを含むリセット用指令情報を前記制御手段に伝達可能に構成され、
前記制御手段が、
前記リセット指令手段により伝達された前記リセット用指令情報に含まれる前記リセット用解除コードが自己に割り当てられた判別用のリセット用解除コードと一致すると、前記燃焼禁止制御の実行を停止しかつ前記非常停止制御を実行した回数を初期化するように構成され、
外部の管理センターに、前記リセット指令手段にて手動入力する前記リセット用解除コードを記憶して管理する管理用制御部と、その管理用制御部に制御用情報を指令する手動式の指令手段とが備えられ、
前記管理用制御部が、燃焼装置を識別するための固有識別情報と関連付けて前記リセット用解除コードを記憶し、且つ、前記手動式の指令手段にて対象となる燃焼装置に対応する前記固有識別情報と出力許可指令とが指令されると、前記対象となる燃焼装置に対応する前記リセット用解除コードを、前記対象となる燃焼装置をメンテナンスするメンテナンス作業員の携帯端末に出力するように構成されている燃焼装置。
【請求項２】
前記管理用制御部が、前記固有識別情報と前記出力許可指令とが指令されて前記リセット用解除コードを出力したときに、前記固有識別情報と関連付けて記憶する前記リセット用解除コードを新たなリセット用解除コードに更新するように構成され、
前記制御手段が、
前記リセット指令手段により伝達された前記リセット用指令情報に含まれる前記リセット用解除コードが前記判別用のリセット用解除コードと一致して前記燃焼禁止制御の実行を停止しかつ前記非常停止制御を実行した回数を初期化すると、前記管理用制御部が、前記固有識別情報と前記出力許可指令とが指令されて前記リセット用用解除コードを出力したときに、前記固有識別情報と関連付けて記憶する前記リセット用解除コードを更新するときの更新ルールと同じ更新ルールに従って、前記判別用のリセット用解除コードを新たな判別用のリセット用解除コードに更新するように構成されている請求項１記載の燃焼装置。
【請求項３】
電源供給が遮断されても記憶情報を保持する不揮発性の記憶手段が備えられ、
前記制御手段が、前記非常停止制御を実行した回数及び前記判別用のリセット用解除コードを前記記憶手段に記憶するように構成されている請求項１又は２に記載の燃焼装置。
【請求項４】
前記異常状態検出手段として、前記バーナにて加熱される熱交換器を内部に備える燃焼室の温度を検出する燃焼室温度検出手段が設けられ、
前記リセット指令手段として、前記リセット用指令情報を前記制御手段に伝達可能な排気異常用リセット指令手段が備えられ、
前記制御手段が、
前記燃焼室内の排気異常であることを判別するに伴って前記バーナの燃焼を停止する非常停止制御を実行した回数が前記燃焼禁止判定用回数以上になると排気異常用の燃焼禁止制御を実行するように構成され、且つ、
前記排気異常用の燃焼禁止制御の実行中に前記排気異常用リセット指令手段により前記リセット用指令情報が伝達されて前記リセット用指令情報に含まれる前記リセット用解除コードが前記判別用のリセット用解除コードと一致すると、前記排気異常用の燃焼禁止制御の実行を停止しかつ前記燃焼室内の排気異常であることを判別するに伴って前記非常停止制御を実行した回数を初期化するように構成されている請求項１〜３のいずれか１項に記載の燃焼装置。
【請求項５】
前記異常状態検出手段として、前記バーナの燃焼炎の温度を検出する燃焼炎温度検出手段が備えられ、
前記リセット指令手段として、前記バーナの燃焼異常に対応する燃焼異常用のリセット指令を指令する燃焼異常用リセット指令手段が備えられ、
前記制御手段が、
前記バーナの燃焼異常であることを判別するに伴って前記非常停止制御を実行した回数が前記燃焼禁止判定用回数以上になると燃焼異常用の燃焼禁止制御を実行するように構成され、且つ、前記燃焼異常用の燃焼禁止制御の実行中に前記燃焼異常用リセット指令手段にてリセット指令が指令されると、前記燃焼異常用の燃焼禁止制御の実行を停止しかつ前記バーナの燃焼異常であることを判別するに伴って前記非常停止制御を実行した回数を初期化するように構成されている請求項４記載の燃焼装置。
【発明の詳細な説明】
【技術分野】
【０００１】
本発明は、バーナの燃焼開始及び燃焼停止を指令する燃焼指令手段と、前記バーナの燃焼を制御する制御手段と、燃焼状態の異常を検出する異常状態検出手段とが備えられ、前記制御手段が、前記燃焼指令手段による燃焼開始の指令に基づいて前記バーナの燃焼を開始しかつ前記燃焼指令手段による燃焼停止の指令に基づいて前記バーナの燃焼を停止する燃焼制御、前記異常状態検出手段の検出情報に基づいて燃焼状態が異常であることを判別するに伴って前記バーナの燃焼を停止する非常停止制御、及び、前記非常停止制御を実行した回数が燃焼禁止判定用回数以上になると前記燃焼指令手段による燃焼開始の指令にかかわらず前記バーナの燃焼を禁止する燃焼禁止制御を実行するように構成され、且つ、前記燃焼禁止制御の実行中にリセット指令手段によりリセット指令が指令されると前記燃焼禁止制御の実行を停止しかつ前記非常停止制御を実行した回数を初期化するように構成されている燃焼装置に関する。
【背景技術】
【０００２】
上記燃焼装置は、異常状態検出手段によって燃焼状態の異常が燃焼禁止判定用回数以上検出されるときは、そのような状態のままでバーナの燃焼作動を継続させることは安全性の面で好ましくないので前記燃焼禁止制御を実行することにより使用上の安全性を確保できるようにしたものであり、このような燃焼禁止制御が行われると、使用者はメンテナンス作業員に連絡することになり、メンテナンス作業員が燃焼状態の異常を解消するためのメンテナンス作業を行ったのちに前記リセット指令手段によりリセット指令が指令されることになる。
【０００３】
そして、このような燃焼装置において、従来では、前記リセット指令手段として、前記制御手段に接続される状態で装置内にリセットスイッチが設けられ、そのリセットスイッチをオン操作することでリセット指令が指令される構成となっていた。すなわち、メンテナンス作業員がメンテナンス作業を行ったのちに前記リセットスイッチを操作することによりリセット指令を指令することで、前記燃焼禁止制御の実行を停止して前記非常停止制御を実行した回数を初期化させて、燃焼装置を初期状態に復帰することができるものとなっていた（例えば、特許文献１参照。）。
【０００４】
【特許文献１】特開２０００−２５７８５８号公報
【発明の開示】
【発明が解決しようとする課題】
【０００５】
上記従来構成においては、前記リセットスイッチを操作することによりリセット指令を指令すれば燃焼装置を初期使用状態に復帰させることができるものであるから、本来、メンテナンス作業を行うべき適正なメンテナンス作業員とは異なる人がリセットスイッチを操作してしまうことがあり、この点で改善が望まれるものであった。
【０００６】
例えば、以前にメンテナンス作業員が行った作業内容を見ることによりリセットスイッチの操作方法を知っている一般使用者が、前記燃焼禁止制御が行われたときにメンテナンス作業員に連絡する前にあるいは連絡せずにリセットスイッチを操作するような場合があり、又、メンテナンス作業を行うべき適正なメンテナンス作業員ではないが、燃焼装置について知識を有している不適正な作業者がメンテナンス作業を行わずにリセットスイッチを操作するおそれもある。
【０００７】
しかし、適正にメンテナンス作業が行われていない状態で、リセットスイッチを操作することで燃焼装置を初期使用状態に復帰すると、燃焼状態の異常の発生原因が除去されていない状態で燃焼装置が使用されることになり、燃焼装置の使用を開始したのちに短時間の使用で再度、燃焼禁止制御を実行するおそれがあり使い勝手が悪いものとなるので、この点で改善が望まれていた。
【０００８】
本発明の目的は、適正なメンテナンス作業が行われたときにだけ燃焼禁止制御の実行を停止して燃焼装置を初期状態に復帰させることが可能となる燃焼装置を提供する点にある。
【課題を解決するための手段】
【０００９】
本発明に係る燃焼装置は、バーナの燃焼開始及び燃焼停止を指令する燃焼指令手段と、前記バーナの燃焼を制御する制御手段と、燃焼状態の異常を検出する異常状態検出手段とが備えられ、前記制御手段が、前記燃焼指令手段による燃焼開始の指令に基づいて前記バーナの燃焼を開始しかつ前記燃焼指令手段による燃焼停止の指令に基づいて前記バーナの燃焼を停止する燃焼制御、前記異常状態検出手段の検出情報に基づいて燃焼状態が異常であることを判別するに伴って前記バーナの燃焼を停止する非常停止制御、及び、前記非常停止制御を実行した回数が燃焼禁止判定用回数以上になると前記燃焼指令手段による燃焼開始の指令にかかわらず前記バーナの燃焼を禁止する燃焼禁止制御を実行するように構成され、且つ、前記燃焼禁止制御の実行中にリセット指令手段によりリセット指令が指令されると前記燃焼禁止制御の実行を停止しかつ前記非常停止制御を実行した回数を初期化するように構成されているものであって、その第１特徴構成は、
前記リセット指令手段が、
リセット用解除コードを手動入力可能で、且つ、前記リセット指令として前記リセット用解除コードを含むリセット用指令情報を前記制御手段に伝達可能に構成され、
前記制御手段が、
前記リセット指令手段により伝達された前記リセット用指令情報に含まれる前記リセット用解除コードが自己に割り当てられた判別用のリセット用解除コードと一致すると、前記燃焼禁止制御の実行を停止しかつ前記非常停止制御を実行した回数を初期化するように構成され、
外部の管理センターに、前記リセット指令手段にて手動入力する前記リセット用解除コードを記憶して管理する管理用制御部と、その管理用制御部に制御用情報を指令する手動式の指令手段とが備えられ、
前記管理用制御部が、燃焼装置を識別するための固有識別情報と関連付けて前記リセット用解除コードを記憶し、且つ、前記手動式の指令手段にて対象となる燃焼装置に対応する前記固有識別情報と出力許可指令とが指令されると、前記対象となる燃焼装置に対応する前記リセット用解除コードを、前記対象となる燃焼装置をメンテナンスするメンテナンス作業員の携帯端末に出力するように構成されている点にある。
【００１０】
第１特徴構成によれば、制御手段が燃焼禁止制御を実行しているときに、その燃焼禁止制御の実行を停止して非常停止制御を実行した回数を初期化するには、リセット指令手段にリセット用解除コードを手動にて入力して、そのリセット用解除コードを含むリセット用指令情報を前記制御手段に伝達することになる。そして、制御手段は、リセット指令手段により伝達されたリセット用指令情報に含まれるリセット用解除コードが自己に割り当てられた判別用のリセット用解除コードと一致すると、燃焼禁止制御の実行を停止しかつ非常停止制御を実行した回数を初期化する。しかし、リセット用解除コードが判別用のリセット用解除コードと一致しなければ、燃焼禁止制御の実行を停止しかつ非常停止制御を実行した回数を初期化することはない。
【００１１】
このリセット用解除コードとしては、例えば制御手段としてコンピュータを用いるものであれば、コンピュータが読み取り可能な多数桁の文字あるいは数字を示すデータ列（パスワード）を用いる構成のほか、制御手段に対する接続部を複数の入力端子を備える構成としてそれら複数の入力端子における入力信号のハイレベルとローレベルとの組み合わせを予め定めた順序にて入力する等、種々の構成がある。
【００１２】
そして、本来、メンテナンス作業を行うべき適正なメンテナンス作業員であれば、燃焼装置についての種々の情報を入手することが可能であり、判別用のリセット用解除コードと一致するリセット用解除コードを容易に入手することが可能である。例えば、外部の管理センターに問い合わせて入手する等の方法により入手することが可能である。しかし、本来、メンテナンス作業を行うべきでない不適正な作業者はこの判別用のリセット用解除コードと一致するリセット用解除コードを容易に入手することができないので、燃焼禁止制御の実行を停止しかつ非常停止制御を実行した回数を初期化することはできない。
【００１３】
その結果、適正なメンテナンス作業員により適正なメンテナンス作業が行われたときには燃焼禁止制御の実行を停止させることが可能であるが、不適正な作業者は判別用のリセット用解除コードと一致するリセット用解除コードを入手することが難しいので、燃焼禁止制御の実行を停止しかつ非常停止制御を実行した回数を初期化することができない。
【００１４】
従って、第１特徴構成によれば、適正なメンテナンス作業が行われたときにだけ燃焼禁止制御の実行を停止して燃焼装置を初期状態に復帰させることが可能となる燃焼装置を提供できるに至った。
【００１７】
又、第１特徴構成によれば、適正なメンテナンス作業員は、メンテナンスの対象となる燃焼装置における配線基板等に記載された製造ロット番号等からなる固有識別情報を入手して、メンテナンス作業が終了したのちに管理センターにその固有識別情報を連絡する。この固有識別情報を入手した管理センター側の作業員は、管理用制御部に対して手動式の指令手段を操作して前記固有識別情報と出力許可指令とを指令する。そして、前記固有識別情報と前記出力許可指令とが指令されると、管理用制御部が対象となる燃焼装置に対応する燃焼装置のリセット用解除コードを出力する。その結果、メンテナンス作業員は判別用のリセット用解除コードと一致するリセット用解除コードを入手することができる。
【００１８】
これに対して、メンテナンス作業を行うべきでない不適正な作業者は、前記リセット用解除コードを入手する際に管理センターに連絡するという手順を知らないから、判別用のリセット用解除コードと一致するリセット用解除コードを入手することはできない。
【００１９】
従って、第１特徴構成によれば、適正なメンテナンス作業が行われたときにだけ燃焼装置を初期状態に復帰させることをより一層的確に行わせることが可能な燃焼装置を提供できるに至った。
【００２０】
本発明の第２特徴構成は、第１特徴構成に加えて、前記管理用制御部が、前記固有識別情報と前記出力許可指令とが指令されて前記リセット用解除コードを出力したときに、前記固有識別情報と関連付けて記憶する前記リセット用解除コードを新たなリセット用解除コードに更新するように構成され、
前記制御手段が、前記リセット指令手段により伝達された前記リセット用指令情報に含まれる前記リセット用解除コードが前記判別用のリセット用解除コードと一致して前記燃焼禁止制御の実行を停止しかつ前記非常停止制御を実行した回数を初期化すると、前記管理用制御部が、前記固有識別情報と前記出力許可指令とが指令されて前記リセット用解除コードを出力したときに前記固有識別情報と関連付けて記憶する前記リセット用解除コードを更新するときの更新ルールと同じ更新ルールに従って、前記判別用のリセット用解除コードを新たな判別用のリセット用解除コードに更新するように構成されている点にある。
【００２１】
第２特徴構成によれば、制御手段は、リセット用解除コードが判別用のリセット用解除コードと一致して燃焼禁止制御の実行を停止しかつ非常停止制御を実行した回数を初期化すると、リセット用解除コードを所定の更新ルールに従って更新する。一方、外部の管理センターに備えられる管理用制御部は出力許可指令が指令されてリセット用解除コードを出力すると、所定の更新ルールに従って新たなリセット用解除コードに更新する。そして、管理用制御部側の更新ルールと制御手段における更新ルールとは同じ更新ルールになっており、更新が行われたのちに再度、燃焼禁止制御が行われたときに、出力許可指令が指令されることにより管理用制御部が出力するリセット用解除コードと、制御手段における判別用のリセット用解除コードとが一致することになる。
【００２２】
つまり、一旦、リセット指令に基づいて燃焼禁止制御の実行を停止したのちには、前回と同じリセット用解除コードを使用することはできないが、メンテナンス作業を行ったのちにメンテナンス作業員が管理センターに連絡することで新たなリセット用解除コードを入手することにより燃焼装置を初期状態に復帰させることができる。
【００２３】
このように、前記燃焼禁止制御を複数回実行するような場合には、メンテナンス作業を実行する度に新たなリセット用解除コードを入手する必要があり、例えば、メンテナンス作業を行うべきでない不適正な作業者が、前回の燃焼禁止制御に対してメンテナンス作業員が入手したリセット用解除コードを知っていても、その前回のリセット用解除コードによって燃焼装置を初期状態に復帰させることはできない。
【００２４】
従って、第２特徴構成によれば、前記燃焼禁止制御を複数回実行するような場合であっても、適正なメンテナンス作業が行われたときにだけ燃焼装置を初期状態に復帰させることが可能な燃焼装置を提供できるに至った。
【００２５】
本発明の第３特徴構成は、第１又は第２特徴構成に加えて、電源供給が遮断されても記憶情報を保持する不揮発性の記憶手段が備えられ、前記制御手段が、前記非常停止制御を実行した回数及び前記判別用のリセット用解除コードを前記記憶手段に記憶するように構成されている点にある。
【００２６】
第３特徴構成によれば、前記制御手段が、前記非常停止制御を実行した回数及び前記リセット用解除コードを記憶手段に記憶するが、この記憶手段は電源供給が遮断されても記憶情報を保持することになる。電源供給が遮断される状況としては、停電が発生したり、あるいは、電池駆動式の燃焼装置であれば電池の交換や取り外し等によって起こることがあるが、このように電源供給が遮断されることがあっても上記したような各種の記憶情報を保持して予め設定された適切な動作条件に従って燃焼禁止制御を実行することができる。
【００２７】
従って、電源供給が遮断されることがあっても、適切な動作条件に従って燃焼禁止制御を実行することができ、使用上の安全性を確保することが可能な燃焼装置を提供できるに至った。
【００２８】
本発明の第４特徴構成は、第１特徴構成〜第３特徴構成のいずれかに加えて、前記異常状態検出手段として、前記バーナにて加熱される熱交換器を内部に備える燃焼室の温度を検出する燃焼室温度検出手段が設けられ、前記リセット指令手段として、前記リセット用指令情報を前記制御手段に伝達可能な排気異常用リセット指令手段が備えられ、前記制御手段が、前記燃焼室内の排気異常であることを判別するに伴って前記バーナの燃焼を停止する非常停止制御を実行した回数が前記燃焼禁止判定用回数以上になると排気異常用の燃焼禁止制御を実行するように構成され、且つ、前記排気異常用の燃焼禁止制御の実行中に前記排気異常用リセット指令手段により前記リセット用指令情報が伝達されて前記リセット用指令情報に含まれる前記リセット用解除コードが前記判別用のリセット用解除コードと一致すると、前記排気異常用の燃焼禁止制御の実行を停止しかつ前記燃焼室内の排気異常であることを判別するに伴って前記非常停止制御を実行した回数を初期化するように構成されている点にある。
【００２９】
第４特徴構成によれば、制御手段は、燃焼室温度検出手段の検出情報に基づいて燃焼状態の異常として燃焼室内の排気異常であることを判別するとバーナの燃焼を停止する非常停止制御を実行する。そして、非常停止制御を実行した回数が燃焼禁止判定用回数以上になるに伴って排気異常用の燃焼禁止制御を実行することになる。
【００３０】
前記燃焼室内の排気異常というのは、バーナの燃焼ガスにて加熱される熱交換器に燃焼ガス中の燃焼生成物や塵埃が付着して熱交換器の燃焼ガス通路が狭くなり、燃焼ガスが燃焼室内に滞留する量が増加して燃焼室内の周囲温度が異常に上昇するという燃焼状態の異常であり、このような燃焼状態の異常が発生している場合には、燃焼状態の異常が繰り返し発生するおそれが大きいものであり、燃焼ガス通路の清掃や熱交換器の交換等のメンテナンス作業を行うことが必要である。
【００３１】
そこで、前記排気異常用の燃焼禁止制御の実行中にリセット用指令情報が伝達されてリセット用指令情報に含まれるリセット用解除コードが判別用のリセット用解除コードと一致すると、前記排気異常用の燃焼禁止制御の実行を停止しかつ前記燃焼室内排気異常であることを判別するに伴って前記非常停止制御を実行した回数を初期化することになる。
【００３２】
つまり、燃焼ガス通路の清掃や熱交換器の交換等のメンテナンス作業が必要な燃焼室内の排気異常である場合には、適正なメンテナンス作業が行われたときにだけ燃焼禁止制御の実行を停止して燃焼装置を初期状態に復帰させることが可能となる。
【００３３】
従って、第５特徴構成によれば、燃焼室内の排気異常である場合には、適正なメンテナンス作業が行われたときにだけ燃焼装置を初期状態に復帰させることが可能となるものであるから、使用上の安全性を確保することが可能な燃焼装置を提供できるに至った。
【００３４】
本発明の第５特徴構成は、第４特徴構成に加えて、前記異常状態検出手段として、前記バーナの燃焼炎の温度を検出する燃焼炎温度検出手段が備えられ、前記リセット指令手段として、前記バーナの燃焼異常に対応する燃焼異常用のリセット指令を指令する燃焼異常用リセット指令手段が備えられ、前記制御手段が、前記バーナの燃焼異常であることを判別するに伴って前記非常停止制御を実行した回数が前記燃焼禁止判定用回数以上になると燃焼異常用の燃焼禁止制御を実行するように構成され、且つ、前記燃焼異常用の燃焼禁止制御の実行中に前記燃焼異常用リセット指令手段にてリセット指令が指令されると、前記燃焼異常用の燃焼禁止制御の実行を停止しかつ前記バーナの燃焼異常であることを判別するに伴って前記非常停止制御を実行した回数を初期化するように構成されている点にある。
【００３５】
第５特徴構成によれば、前記制御手段は、前記燃焼炎温度検出手段の検出情報に基づいてバーナの燃焼異常であることを判別するとバーナの燃焼を停止する非常停止制御を実行する。そして、非常停止制御を実行した回数が前記燃焼禁止判定用回数以上になるに伴って燃焼異常用の燃焼禁止制御を実行することになる。
【００３６】
前記バーナの燃焼異常というのは、燃焼装置が設置される設置空間の換気状態が良好でなくバーナへの燃焼用一次空気の供給量が少なくなって燃焼炎が不安定になる等の異常であり、このような燃焼状態の異常が発生している場合には、設置空間の換気を行ったのちに使用者に対して換気を促す等のメンテナンス作業を行うことになる。そして、このような燃焼状態の異常は、設置空間における使用環境を改善することで発生原因が解消されることになるので、その後燃焼状態の異常が再度発生するおそれは少ないことが想定される。
【００３７】
そこで、制御手段は、前記燃焼異常用の燃焼禁止制御の実行中に前記燃焼異常用リセット指令手段にてリセット指令が指令されると、前記燃焼異常用の燃焼禁止制御の実行を停止しかつ前記バーナの燃焼異常であることを判別するに伴って前記非常停止制御を実行した回数を初期化するようにしている。前記燃焼異常用リセット指令手段は、例えばスイッチ操作を行うだけのもの等、前記リセット用解除コードを入手しなくても対応可能な簡易な構成のものでもよく、煩わしさの少ない状態で燃焼装置を初期状態に復帰させることが可能となり、使い勝手のよいものとなる。
【００３８】
従って、第５特徴構成によれば、燃焼室内の排気異常であるときは、適正なメンテナンス作業が行われたときにだけ燃焼装置を初期状態に復帰させることが可能となるものであるものでありながら、バーナの燃焼異常であるときは、煩わしさの少ない状態で燃焼装置を初期状態に復帰させることが可能であり使い勝手を低下させるおそれが少ない燃焼装置を提供できるに至った。
【発明を実施するための最良の形態】
【００３９】
以下、本発明にかかる燃焼装置の実施形態を給湯装置に適用した場合について図面に基づいて説明する。
先ず、図１に基づいて、給湯装置の全体構成について説明する。
筒胴１の内部の上端部にフィンチューブ型の水加熱用の熱交換器２を設け、筒胴１の下方に熱交換器２を加熱するバーナ３を設け、筒胴１の内部にバーナ３の燃焼室Ｒを形成してある。熱交換器２への給水路Ｗｉには、止水弁４、水圧変化に応動して給水量を調整する水ガバナ５、及び、分流弁６を介装してあり、熱交換器２からの出湯路Ｗｏは、フレキシブル管７を介して出湯具８に接続してある。
【００４０】
バーナ３へのガス供給路Ｇには、遮断弁９、連動杆１０ａを介しての水ガバナ５との連動により給水状態でのみ開く水圧応動弁１０、燃料ガス供給の元圧変化に応動してバーナ３への燃料ガス供給圧を適正圧に保つガスガバナ１１、及び、燃料ガス供給量を調整する調整弁１２を介装してある。分流弁６は、熱交換器２への給水量と、バイパス路Ｗｂを介して給水路Ｗｉから出湯路Ｗｏへ分流供給するバイパス水量を調整する。又、給湯装置の各種制御を司るマイクロコンピュータを備えて構成される制御手段としてのコントローラＣを設けてある。
【００４１】
前記コントローラＣは、燃焼指令手段による燃焼開始の指令に基づいてバーナ３の燃焼を開始し且つ燃焼指令手段による燃焼停止の指令に基づいてバーナ３の燃焼を停止する燃焼制御を実行する。
具体的な構成について説明を加えると、使用者が押しボタン式の出湯操作具１３を押すと、操作マイクロスイッチ１４がオンし、同時に、出湯操作具１３の押し操作に連動して止水弁４が開弁され、水が水ガバナ５に入り、水圧により連動杆１０ａが水圧応動弁１０を開弁する方向に応動して水圧マイクロスイッチ１５がオンする。操作マイクロスイッチ１４及び水圧マイクロスイッチ１５がオンすると、コントローラＣは、点火プラグ１６をスパークさせるともに、遮断弁９のコイル９ａに吸着電流を流すので、遮断弁９が開弁される。
【００４２】
従って、燃料ガスは、遮断弁９、水圧により応動した連動杆１０ａにより開弁された水圧応動弁１０、ガスガバナ１１及び調整弁１２を通過してバーナ３に供給され、点火プラグ１６のスパークにより点火されて燃焼する。バーナ３の燃焼炎に接触させる状態でバーナ３の燃焼炎の温度を検出する燃焼炎温度検出手段としての第１熱電対１７を設けてあり、バーナ３の燃焼炎により加熱された第１熱電対１７の起電力により、コントローラＣから遮断弁９のコイル９ａに吸着電流が流れ続けて、遮断弁９の開弁が継続する。又、バーナ３にて加熱される熱交換器２を内部に備える燃焼室Ｒの温度を検出する燃焼室温度検出手段としての第２熱電対２１を設けてある。そして、前記第１熱電対１７及び第２熱電対２１の検出情報がコントローラＣに入力され、後で詳述するが非常停止制御を実行するようになっている。
【００４３】
一方、水は、止水弁４、水ガバナ５及び分流弁６を通過して熱交換器２に流れると同時に、バイパス路Ｗｂを通じて出湯路Ｗｏへ流れる。そして、熱交換器２からの湯とバイパス路Ｗｂからの水とが混合されて適温となった湯が出湯具８から出湯される。
【００４４】
出湯具８から湯が出湯されている出湯状態において出湯操作具１３を押すと、その押し操作に連動して止水弁４が閉弁して給水が停止され、水ガバナ５は水圧差がなくなるので、連動杆１０ａが水圧応動弁１０を閉弁する方向に応動して、水圧応動弁１０が閉弁されて、バーナ３への燃料ガス供給が断たれてバーナ３の燃焼が停止される。又、上述の出湯状態での出湯操作具１３の押し操作に伴って、操作マイクロスイッチ１４及び水圧マイクロスイッチ１５がオフすると、コントローラＣは、コイル９ａへ吸着電流を流すのを停止するので、遮断弁９が閉弁される。
【００４５】
従って、前記出湯操作具１３の押し操作に伴って操作マイクロスイッチ１４及び水圧マイクロスイッチ１５が共にオンする操作が燃焼開始指令に相当する。又、出湯操作具１３の再度の押し操作に伴って操作マイクロスイッチ１４及び水圧マイクロスイッチ１５が共にオフする操作が燃焼停止指令に相当する。つまり、操作マイクロスイッチ１４と水圧マイクロスイッチ１５とにより燃焼指令手段が構成される。
【００４６】
バーナ３の燃焼炎の温度に応じた起電力を出力する燃焼炎温度検出手段としての上述の第１熱電対１７、燃焼室Ｒの温度に応じて第１熱電対１７とは逆極性となるような起電力を出力する燃焼室温度検出手段としての第２熱電対２１、ガスノズル１８の近傍の温度が異常高温になることに基づいて溶断するノズル近傍用温度ヒューズ１９、及び、筒胴１の外周近傍の温度が異常高温になることに基づいて溶断する筒胴用温度ヒューズ２０を設けてあり、第１熱電対１７及び第２熱電対２１が前記異常状態検出手段Ｋに対応する。
【００４７】
第１熱電対１７は、金属性の熱電対取付板を用いて感熱部が正常燃焼状態の燃焼炎の内部に位置するように、且つ、そのプラス側が熱電対取付板と電気的に接続するように設けてある。第２熱電対２１は、その感熱部が筒胴１に形成した測温用開口１ａに臨む状態で設けてある。
【００４８】
又、第１熱電対１７及び第２熱電対２１以外にも、ガスノズル１８の近傍の温度が異常高温になることに基づいて溶断するノズル近傍用温度ヒューズ１９、及び、筒胴１の外周近傍の温度が異常高温になることに基づいて溶断する筒胴用温度ヒューズ２０を設けてある。ノズル近傍用温度ヒューズ１９及び筒胴用温度ヒューズ２０は夫々同様の構成であり、図示はしないが、両端夫々にリード線を接続したヒューズ素子を、可撓性及び耐熱性を有するチューブ内に挿入するとともに、チューブの外周の２箇所を支持具により束縛してチューブ内に固定する構成となっている。ノズル近傍用温度ヒューズ１９は、バーナ３に対応するガスノズル１８の下方近傍に位置するように配置してあり、筒胴用温度ヒューズ２０は、筒胴１の外周部の背面側（給湯装置を壁面に設置する場合は、壁面側）近傍に配置してある。
【００４９】
前記第１熱電対１７、前記第２熱電対２１、及び、前記各温度ヒューズ１９，２０は、夫々、リード線を介してコントローラＣに電気的に接続してあり、前記第１熱電対１７と第２熱電対２１とは、互いに逆極性の起電力がコントローラＣに入力されるように接続してある。つまり、図２に示すように、第１熱電対１７のマイナス端子と第２熱電対２１のマイナス端子とを接続し、上述したように第１熱電対１７のプラス端子を、熱電対取付板に接続して電気的に接地すると共にリード線２２を介してコントローラＣの入力端子ａに接続してあり、第２熱電対２１のプラス端子をリード線２３を介してコントローラＣの入力端子ｂに接続してある。又、第１熱電対１７と第２熱電対２１との間の中間接続箇所をリード線２４を介してコントローラＣの入力端子ｃに接続している。
従って、第１熱電対１７と第２熱電対２１とを、それらが互いに逆方向の起電力を発生する状態で直列接続して、それらの両端部がコントローラＣに電気的に接続されて各熱電対における起電力の出力の合計値が、前記各入力端子ａ，ｂ間に入力されるように構成している。又、第１熱電対１７の起電力の出力値がコントローラＣの入力端子ｃに入力されるように構成している。
【００５０】
そして、コントローラＣは、第１熱電対１７による起電力の検出情報、及び、前記第２熱電対２１による起電力の検出情報を夫々各別に求めて、それらの検出情報に基づいて動作異常を判別する構成となっている。
つまり、コントローラＣは、前記各入力端子ａ，ｂ間に入力される前記合計値と、入力端子ｃに入力される第１熱電対１７の起電力の出力値とに基づいて、第２熱電対２１の起電力の出力値を演算にて求めるようになっており、各別に求められる第１熱電対１７による起電力及び第２熱電対２１による起電力に基づいて動作異常であると判断すると、遮断弁９のコイル９ａへ吸着電流を流すのを停止して、遮断弁９を閉弁してバーナ３の燃焼を停止させるように構成してある。
【００５１】
すなわち、受入口３２から吸入される燃焼用一次空気の量が異常に少なくなったり、その燃焼用一次空気中の酸素濃度が異常に低下すると、バーナ３は不完全燃焼を起こして燃焼炎が長くなったり、燃焼炎が不測に立ち消えたりすることがある。バーナ３が燃焼異常としての不完全燃焼を起こして、燃焼炎が長くなったり、燃焼炎が不測に立ち消えたりする、つまり、バーナの燃焼異常により、第１熱電対１７の起電力Ｖ１が低下すると、それに伴って図３（ａ）に示すように、その起電力Ｖ１が低下してそれがバーナ用判別値Ｖｓ１を下回ると、後述するように、コントローラＣは、遮断弁９を閉弁してバーナ３への燃料ガス供給を断ってバーナ３の燃焼を停止させる。
【００５２】
又、熱交換器２に燃焼ガス中の燃焼生成物や塵埃が付着して、熱交換器２の燃焼ガス通路が狭くなると、燃焼ガスが燃焼室Ｒ内に滞留する量が増加して、燃焼室Ｒ内の温度が上昇する。このような熱交換器閉塞によって燃焼室Ｒ内の周囲温度が高くなるほど、図３（ｂ）に示すように、第２熱電対２１の起電力Ｖ２は大になるが、燃焼室Ｒ内の周囲温度が異常高温になること、すなわち、燃焼室内排気異常が発生することにより、この起電力Ｖ２が燃焼室用判別レベルＶｓ２を超えると、同様にして、コントローラＣは遮断弁９を閉弁してバーナ３の燃焼を停止させる。
【００５３】
尚、熱交換器２に燃焼ガス中の燃焼生成物や塵埃が付着することに起因して、燃焼室Ｒ内の温度が異常に上昇して筒胴１の外周近傍の温度が異常高温になると、筒胴用温度ヒューズ２０が溶断する。又、バーナ３の受入口３２に蜘蛛の巣が張られたり、塵埃が溜まったりして、ガスノズル１８から噴出した燃料ガスの一部が受入口３２の外に漏洩して、その漏洩ガスがバーナ３の燃焼炎により引火して燃焼する等して、ガスノズル１８近傍の温度が異常高温になると、ノズル近傍用温度ヒューズ１９が溶断する。そして、このように筒胴用温度ヒューズ２０が溶断したり、ノズル近傍用温度ヒューズ１９が溶断したりすると、コントローラＣは、遮断弁９を閉弁してバーナ３の燃焼を停止させるようになっている。このようにして、動作異常が発生したときには、上記したようにバーナ３の燃焼を停止させる非常停止制御を実行することにより使用上の安全性を向上させている。
【００５４】
そして、この給湯装置では、前記コントローラＣが、前記非常停止制御を実行した回数が燃焼禁止判定用回数以上になると燃焼開始の指令にかかわらずバーナ３の燃焼を禁止する燃焼禁止制御を実行するように構成され、且つ、前記燃焼禁止制御の実行中にリセット指令手段によりリセット指令が指令されると前記燃焼禁止制御の実行を停止しかつ前記非常停止制御を実行した回数を初期化する構成となっている。
【００５５】
又、前記リセット指令手段は、リセット用解除コードを手動入力可能で、且つ、前記リセット指令として前記リセット用解除コードを含むリセット用指令情報をコントローラＣに伝達可能な構成となっており、コントローラＣが、リセット指令手段により伝達されたリセット用指令情報に含まれる前記リセット用解除コードが自己に割り当てられた判別用のリセット用解除コードと一致すると、前記燃焼禁止制御の実行を停止しかつ前記非常停止制御を実行した回数を初期化するような構成となっている。
【００５６】
そして、給湯装置の製造者が管理するサービスセンター等からなる外部の管理センター１００に、前記リセット用解除コードを管理する管理用制御部１０１と、その管理用制御部１０１に制御用情報を指令する手動式の指令手段としての入力操作部１０２とが備えられ、前記管理用制御部１０１が、燃焼装置を識別するための固有識別情報と関連付けて前記リセット用解除コードを管理し、且つ、入力操作部１０２にて対象となる燃焼装置に対応する前記固有識別情報と出力許可指令とが指令されると、該当する燃焼装置に対応する前記リセット用解除コードを外部装置としての携帯端末１０４に出力するように構成されている。
【００５７】
コントローラＣは、前記リセット用解除コードが前記判別用のリセット用解除コードと一致して前記燃焼禁止制御の実行を停止しかつ前記非常停止制御を実行した回数を初期化すると、前記外部の管理センター１００に備えられる前記管理用制御部１０１が前記出力許可指令が指令されて前記リセット用指令情報を出力したときに前記固有識別情報と関連付けて管理する前記リセット用解除コードを更新するときの更新ルールと同じ更新ルールに従って、前記判別用のリセット用解除コードを新たなリセット用解除コードに更新する構成となっている。
【００５８】
説明を加えると、前記リセット指令手段として、前記燃焼室内の排気異常を解消するためのメンテナンス作業が行われたことに対応するリセット指令としての前記リセット用指令情報をコントローラＣに伝達可能な排気異常用リセット指令手段が備えられ、コントローラＣが、燃焼室内の排気異常であることを判別するに伴ってバーナ３の燃焼を停止する非常停止制御を実行した回数が燃焼禁止判定用回数以上になると排気異常用の燃焼禁止制御を実行するように構成され、且つ、前記排気異常用の燃焼禁止制御の実行中に前記リセット用指令情報が伝達されて前記リセット用指令情報に含まれる前記リセット用解除コードが前記判別用のリセット用解除コードと一致すると、前記排気異常用の燃焼禁止制御の実行を停止しかつ前記燃焼室内の排気異常であることを判別するに伴って前記非常停止制御を実行した回数を初期化する構成となっている。
【００５９】
さらに、バーナ３の燃焼異常を解消するためのメンテナンス作業が行われたことに対応する燃焼異常用のリセット指令を指令する燃焼異常用リセット手段としてのリセットスイッチ３１が備えられ、コントローラＣが、バーナ３の燃焼異常であることを判別するに伴って非常停止制御を実行した回数が燃焼禁止判定用回数以上になると燃焼異常用の燃焼禁止制御を実行するように構成され、且つ、前記燃焼異常用の燃焼禁止制御の実行中にリセットスイッチ３１にてリセット指令が指令されると、前記燃焼異常用の燃焼禁止制御の実行を停止しかつバーナ３の燃焼異常であることを判別するに伴って前記非常停止制御を実行した回数を初期化する構成となっている。
【００６０】
又、電源供給が遮断されても記憶情報を保持する不揮発性の記憶手段としての不揮発性メモリ３０が備えられ、コントローラＣは、前記非常停止制御を実行した回数及び前記リセット用解除コードを不揮発性メモリ３０に記憶するようになっている。
【００６１】
以下、燃焼禁止制御をリセットするための具体的な構成について説明する。
図２に示すように、前記リセットスイッチ３１は、詳述はしないが、通常の使用状態では操作できないように給湯装置のケーシングの内部に設けてあり、ケーシングの前側部を取り外した状態でメンテナンス作業員が操作することになる。
前記排気異常用リセット指令手段は、コントローラＣの入力端子ｄを介してコントローラＣに着脱可能に接続される着脱型の手動操作式入力手段である外部入力装置３５にて構成してある。この外部入力装置３５は、メンテナンス処理が終了したのちに操作することを目的としてメンテナンス作業員が所有する専用の入力装置であり、給湯装置の使用者は操作することができないようになっている。この外部入力装置３５をコントローラＣに接続するときは、装置のケーシングの前側部を取り外した状態で前記入力端子ｄに接続することになる。この外部入力装置３５は、詳述はしないが、画像表示部及びキー入力部等を備えた一般的なパーソナルコンピュータ等にて構成される。
【００６２】
メンテナンス作業としては、熱交換器２に付着した燃焼生成物や塵埃を除去する清掃作業あるいは老朽化した熱交換器２を新たな熱交換器２に交換する交換作業等を伴うメンテナンス作業と、上記したような燃焼ガス通路の清掃や熱交換器の交換等を行うことなく、給湯装置が設置される設置空間の換気を行うメンテナンス作業等がある。
【００６３】
そして、メンテナンス作業員は、燃焼ガス通路の清掃や熱交換器２の交換等を行うメンテナンス作業を実行したときは、給湯装置のケーシングの前側部を取り外して入力端子ｄを介して外部入力装置３５をコントローラＣに接続してその外部入力装置３５を操作して、当該給湯装置について予め設定されているリセット用解除コードを含むリセット用指令情報を手動操作にて入力する。
【００６４】
このリセット用解除コードは、コンピュータが読み取り可能な多数桁の文字又は数字等のデータ列からなり、給湯装置が製造される段階で予め不揮発性メモリ３０に書き込み記憶されているが、それとは別に、給湯装置の製造者が管理するサービスセンター等からなる管理センター１００にて、給湯装置の固有識別情報と対応付けた状態で管理されることになる。この管理センター１００は、図６に示すように、給湯装置を識別するための固有識別情報と関連付けてそのリセット用解除コードを管理し且つ出力許可指令が指令されると前記リセット用解除コードを出力自在な管理用コンピュータ等からなる管理用制御部１０１、その管理用制御部１０１に出力許可指令を指令する例えばキー入力装置等からなる入力操作部１０２、各種の情報を表示する表示部１０３等を備えて構成される。
【００６５】
前記固有識別情報は、コントローラＣが装着される配線基板上に予め印字されている製造ロット番号が対応する。又、前記リセット用解除コードは給湯装置１台毎に固有のものとして割り当てられるものであり、管理用制御部１０１が、このリセット用解除コードを製造ロット番号と対応付けた状態で管理するようになっている。具体的には、給湯装置の製造時に付与される製造ロット番号と、その給湯装置におけるリセット用解除コードとを対応付けた状態でデータベース化して管理するようにしておき、入力操作部１０２の操作に基づいて適宜出力させることができるようになっている。
【００６６】
又、管理用制御部１０１は、出力許可指令が指令されて出力処理を実行すると、予め設定されている所定の更新ルールに従って新たなリセット用解除コードに更新するようになっている。すなわち、当該給湯装置にて前記リセット用解除コードとして使用されるデータ列を予め複数用意して記憶しており、出力許可指令が指令されて出力処理を実行する毎に、複数のデータ列を予め定めた順番で変更させて新たなリセット用解除コードとして設定することになる。
【００６７】
前記リセット用解除コードは、メンテナンス作業員がメンテナンス作業前から予め分かっているものではなく、メンテナンス作業が終了したのちに管理センター１００との間で通信を行うことにより入手することになる。又、そのとき、メンテナンス作業が適正に終了したことの証拠として、メンテナンス作業を開始する前と作業終了した後の夫々における給湯装置の異常発生要因と考えられる箇所の写真の情報（画像データ）と、その給湯装置における製造ロット番号とを共に、例えば携帯電話や通信機能付きパーソナルコンピュータ等の携帯端末１０４を用いてインターネット等の通信手段１０５を介して電子メール等により管理センター１００に送信する。管理センター１００側では、携帯端末１０４から送信された画像データとその給湯装置における製造ロット番号とを表示部１０３に表示し、管理センター側の作業員は、その表示内容を目視してメンテナンス作業が適正であることが確認されると、入力操作部１０２を操作してリセット用解除コードを電子メールにて携帯端末１０４に送信することになる。
【００６８】
一方、燃焼ガス通路の清掃や熱交換器２の交換等を行うことなく設置空間の換気を行うメンテナンス作業を実行したときは、前記リセットスイッチ３１をオン操作することでリセット指令を指令することになる。
【００６９】
以下、コントローラＣの制御動作について図４及び図５に示すフローチャートに基づいて具体的に説明する。
後述するような燃焼禁止状態になっていない状態で、且つ、バーナ３が燃焼中でないときに、前記出湯操作具１３の押し操作に伴って操作マイクロスイッチ１４及び水圧マイクロスイッチ１５が共にオンして燃焼開始指令が指令されると、バーナ３の燃焼を開始させる（ステップ１、２、３、４）。つまり、バーナ３への点火処理と遮断弁９の開弁維持処理とを実行することによりバーナ３を燃焼させる。バーナ３の燃焼を開始した後、後述するような燃焼状態の異常が判別されていない状態で燃焼停止指令が指令されると遮断弁９を閉弁させてバーナ３の燃焼を停止させる（ステップ７、１１、１、２、５、６）。尚、ステップ６にて遮断弁９を閉弁させてバーナ３の燃焼を停止させた後は、燃焼開始指令が指令されるまで運転を待機することになる（ステップ１〜３）。
【００７０】
バーナ３の燃焼を開始した時点から燃焼確認時間１、すなわち第１熱電対用の燃焼確認時間（５秒間）以上経過している状態で第１熱電対１７の起電力Ｖ１がバーナ用判別値Ｖｓ１を下回っていれば遮断弁９を閉弁させてバーナ３の燃焼を停止させる（ステップ７、８）。そして、このように第１熱電対１７の起電力Ｖ１がバーナ用判別値Ｖｓ１を下回ることによりバーナ３の燃焼を停止させた回数、すなわち、バーナ３の燃焼異常であることを判別するに伴って前記非常停止制御を実行した回数をカウントする第１カウンタをカウントアップ（+１）して、そのカウント値Ｎ１を不揮発性メモリ３０に書き込み記憶する（ステップ９、１０）。
【００７１】
バーナ３の燃焼を開始した時点から燃焼確認時間２、すなわち第２熱電対用の燃焼確認時間（１２秒間）以上経過している状態で第２熱電対２１の起電力Ｖ２が燃焼室用判別値Ｖｓ２を超えていれば遮断弁９を閉弁させてバーナ３の燃焼を停止させる（ステップ１１、１２）。そして、このように第２熱電対２１の起電力Ｖ２が燃焼室用判別値Ｖｓ２を超えることによりバーナ３の燃焼を停止させた回数、すなわち、前記燃焼室内排気異常であることを判別するに伴って前記バーナ３の燃焼を停止する非常停止制御を実行した回数Ｎ２をカウントする第２カウンタをカウントアップ（+１）して、そのカウント値Ｎ２を不揮発性メモリ３０に書き込み記憶する（ステップ１３、１４）。ステップ７、８、１１、１２の処理が前記非常停止制御に対応する。
【００７２】
そして、第１カウンタのカウント値Ｎ１が燃焼禁止判定用回数としての３回以上であるか否かを判別して、３回以上であれば燃焼禁止フラグ１を「１」にセットする（ステップ１５、１７）。第１カウンタのカウント値Ｎ１が３回未満であれば、次に第２カウンタのカウント値Ｎ２が燃焼禁止判定用回数としての３回以上であるか否かを判別して、３回以上であれば燃焼禁止フラグ２を「１」にセットする（ステップ１６、１８）。第１カウンタのカウント値Ｎ１が３回未満であり、且つ、第２カウンタのカウント値Ｎ２が３回未満であれば、ステップ１にリターンして燃焼開始指令が指令されるまで運転を待機することになる（ステップ１〜３）。
【００７３】
燃焼禁止フラグ１又は燃焼禁止フラグ２のいずれかが「１」にセットされて燃焼禁止状態に設定されていると、その燃焼禁止状態になったこと（履歴）を不揮発性メモリ３０に記憶して、後述するリセット指令が指令されるまではバーナ３の燃焼を禁止する（ステップ１、１９、２０、２４）。このようにバーナ３の燃焼を禁止している間は、出湯操作具１３の押し操作に伴って操作マイクロスイッチ１４及び水圧マイクロスイッチ１５が共にオンして燃焼開始指令が指令されることがあっても、その燃焼開始指令にかかわらずバーナ３の燃焼が禁止されることになる。この処理が燃焼禁止制御に対応する。このとき、給湯装置の使用ができない状態になるので、使用者は燃焼状態の異常を解消すべくメンテナンス作業員に連絡することになる。
【００７４】
そして、コントローラＣがこの燃焼禁止制御を実行しているときにメンテナンス作業員が燃焼状態の異常を解消するためのメンテナンス作業を実行し、そのメンテナンス作業が終了したのちにリセット指令を指令することになるが、そのとき、燃焼禁止フラグ２が「１」にセットされて燃焼禁止状態に設定されているとき、すなわち、排気異常用の燃焼禁止制御を実行しているときには、メンテナンス作業員は、メンテナンス作業を行う前と作業を行った後の夫々における給湯装置の異常発生要因と考えられる箇所の写真の情報（画像データ）と、その給湯装置の製造ロット番号とを共に、例えば携帯電話や通信機能付きパーソナルコンピュータ等の携帯端末１０４を用いて電子メール等により管理センター１００に送信する。
【００７５】
管理センター１００では、携帯端末１０４から送信された情報を管理用制御部１０１が受信すると表示部１０３にその情報が表示される。そして、例えば、管理作業員がそれらの情報によりメンテナンス作業が適正に行われたか否かを判断し、メンテナンス作業が適正であれば、入力操作部１０２を操作して管理用制御部１０１に出力許可指令を指令する。そうすると、管理用制御部１０１は、送信された製造ロット番号に対応するリセット用解除コードを携帯端末１０４に送信する。
【００７６】
リセット用解除コードを入手すると、メンテナンス作業員は外部入力装置３５をコントローラＣの入力端子ｄに接続して、リセット用解除コードを含むリセット用指令情報をキー入力装置により入力して例えばリターンキーの操作により通信開始を指令すると、リセット用指令情報がコントローラＣに伝達される。
【００７７】
コントローラＣは、外部入力装置３５から伝達されるリセット用指令情報を受け入れて、外部入力装置３５から入力されたリセット用解除コードが予め設定しているリセット用解除コードと一致すると、第２リセット指令が指令されたものと判別し、外部入力装置３５から入力されたデータ列が予め設定しているリセット用解除コードと一致しなければ、第２リセット指令が指令されていないと判別する。そして、第２リセット指令が指令されたものと判別すると、燃焼禁止フラグ２を「０」にリセットし、且つ、第２カウンタのカウント値Ｎ２を零にリセットする（ステップ２０、２１、２２）。つまり、前記燃焼室Ｒ内の排気異常であることを判別するに伴ってバーナ３の燃焼を停止する非常停止制御を実行した回数を初期化する。
【００７８】
そして、このようにリセット用解除コードの入力によりリセット処理が行われたのちは、リセット用解除コードを、次回に燃焼禁止フラグ２が「１」にセットされることにより燃焼禁止状態になったときに使用するための新たなリセット用解除コードに更新する（ステップ２３）。このときの更新ルールは、管理センター１００における管理用制御部１０１による更新ルールと同じである。
すなわち、コントローラＣは、自己に割り当てられた複数のデータ列群を予め記憶しており、そのうちのいずれか１つを判別用のリセット用解除コードとして設定するのであるが、第２リセット指令によりリセットが行われる毎に所定の更新ルールに従って、言い換えると、複数のデータ列を予め定めた順番で変更させて新たな判別用のリセット用解除コードとして設定するのである。
【００７９】
燃焼禁止フラグ１が「１」にセットされて燃焼禁止状態に設定されているとき、すなわち、燃焼異常用の燃焼禁止制御を実行しているときには、メンテナンス作業員は、リセットスイッチ３１をオン操作することによりリセット指令を指令することになる。コントローラＣは、リセットスイッチ３１のオン操作によりリセット指令が指令されると、燃焼禁止フラグ１を「０」にリセットし、且つ、第１カウンタのカウント値Ｎ１を零にリセットする（ステップ２４、２５、２６）。つまり、バーナ３の燃焼異常であることを判別するに伴って前記非常停止制御を実行した回数を初期化する。
【００８０】
又、前記非常停止制御を実行した回数Ｎ及び前記リセット用解除コードは不揮発性メモリ３０に書き込み記憶されるので、コントローラＣに電力供給する乾電池を一旦取り外したのち再度セットする等、電源供給が遮断されることがあっても、リセット指令が指令されるまでは各種の情報は保持されるので、電源供給を再開すると、記憶されている情報に基づいてその後の制御が行われることになる。
【００８１】
〔別実施形態〕
以下、別実施形態を列記する。
【００８２】
（１）上記実施形態では、メンテナンス作業を開始する前と作業終了した後の夫々における給湯装置における異常発生の要因と考えられる箇所の写真の情報（画像データ）とその給湯装置の固有識別情報とを共に管理センターに送信すると前記リセット用解除コードを入手できるようにしたが、このような構成に代えて、例えば、熱交換器を交換するメンテナンス作業を行った場合には、新たに装着される補修用の部品である熱交換器に添付されている製造用管理番号（シリアル番号）と給湯装置の固有識別情報（製造ロット番号）とを共に管理センターに送信する構成としてもよく、又、これ以外にも、メンテナンス作業の確認ができるものであればどのような手法で確認を行ってもよい。
【００８４】
（２）上記実施形態では、前記リセット用解除コードをコンピュータが読み取り可能な多数桁の数字又は文字のデータ列にて構成したが、このような構成に代えて、例えば、制御手段に対する接続部を複数の入力端子を備える構成としてそれら複数の入力端子における信号レベル（ハイレベル又はローレベル）の組み合わせを予め定めた並び順にて入力する等、種々の構成で実施することが可能である。
【００８５】
（３）上記実施形態では、前記燃焼室内排気異常であることを判別するに伴って前記バーナの燃焼を停止する非常停止制御を実行した回数に対応する前記燃焼禁止判定用回数と、前記バーナの燃焼異常であることを判別するに伴って前記非常停止制御を実行した回数に対応する前記燃焼禁止判定用回数とが同じ回数になるものと例示したが、それらを互いに異なる値に設定してもよい。
【００８６】
（４）上記実施形態では、前記バーナの燃焼異常に伴って燃焼禁止制御を実行したときには、リセットスイッチを操作することで燃焼禁止制御の実行を停止する構成としたが、前記燃焼室内排気異常に伴って燃焼禁止制御を実行したときと同様に、前記リセット用解除コードが指令されると燃焼禁止制御の実行を停止する構成にしてもよい。
【００８７】
（５）上記実施形態では、前記第１熱電対１７と前記第２熱電対２１とを直列接続して、それらの両端部と、中間接続箇所とをコントローラＣ（制御手段）に電気的に接続して、各熱電対における起電力の出力の合計値と、第１熱電対１７の起電力の出力値が入力されるようにしたが、このような構成に代えて、例えば、図７に示すように、第１熱電対１７及び第２熱電対２１をコントローラＣ（制御手段）に対して、夫々単独で各別に起電力を検出可能なように電気的に並列接続して、コントローラＣは、第１熱電対１７による起電力、及び、第２熱電対２１による起電力を夫々各別に求めるように構成してもよい。
【００８８】
（６）上記実施形態では、前記非常停止制御を前記燃焼禁止判定用回数に対応する回数実行すると前記燃焼禁止制御を実行するようにしたが、予め設定された所要時間内に前記非常停止制御を前記燃焼禁止判定用回数に対応する回数実行すると前記燃焼禁止制御を実行するようにしたり、バーナが適正に燃焼することなく連続して前記燃焼禁止判定用回数以上前記非常停止制御を実行すると前記燃焼禁止制御を実行するようにしてよい。
【００８９】
（７）上記実施形態では、前記異常状態検出手段として、バーナの燃焼炎の温度を検出する燃焼炎温度検出手段、燃焼室の温度を検出する燃焼室温度検出手段を備える構成としたが、異常状態検出手段としては、例えば、筒胴内の空気の一酸化炭素（ＣＯ）の濃度を検出するＣＯセンサ等の他の検出手段を設けるものでもよい。
【００９０】
（８）上記実施形態では、本発明を適用する燃焼装置の具体構成が給湯装置である場合について例示したが、燃焼装置の具体構成は種々変更可能であり、例えば、暖房装置でも良い。
【図面の簡単な説明】
【００９１】
【図１】給湯装置の概略構成図
【図２】制御ブロック図
【図３】起電力の発生状態を示す図
【図４】制御動作のフローチャート
【図５】制御動作のフローチャート
【図６】外部の管理センターとの通信状態を示す図
【図７】別実施形態の熱電対の接続状態を示す回路図
【符号の説明】
【００９２】
２          熱交換器
３          バーナ
１４，１５  燃焼指令手段
１７        燃焼炎温度検出手段
２１        燃焼室温度検出手段
３０        記憶手段
３１        燃焼異常用リセット指令手段
３５        排気異常用リセット指令手段
１００      管理センター
１０１      管理用制御部
１０２      手動式の指令手段
１０４      外部装置
Ｃ          制御手段
Ｋ          異常状態検出手段
【図１】
0005308014.tif 000002
【図２】
0005308014.tif 000003
【図３】
0005308014.tif 000004
【図４】
0005308014.tif 000005
【図５】
0005308014.tif 000006
【図６】
0005308014.tif 000007
【図７】
0005308014.tif 000008